(57)【要約】【課題】内貼り用と外貼り用の二種類のラミネートラベルを揃える必要がなく、在庫管理の手間を大幅に低減し得る、ラベル帳票を用いた内貼り用または外貼り用のラミネートラベルの作成方法、及び内貼り用または外貼り用のラミネートラベルを容易に作成し得るラベル帳票を提供する。【解決手段】第一担持面５に仮着された透明な第一ラベル片１０に所要情報１５を裏向きに印字した後、該第一ラベル片１０上に第二担持面６に仮着された第二ラベル片１３を積層する第一のラミネート手順と、第二担持面６に仮着された第二ラベル片１３に所要情報１５を表向きに印字した後、該第二ラベル片１３上に第一担持面５に仮着された透明な第一ラベル片１０を積層する第二のラミネート手順との何れかにより、内貼り用のラミネートラベルＡまたは外貼り用のラミネートラベルＢを選択的に作成し得るようにした。【選択図】  図１
2005010529.tif 000002
【特許請求の範囲】
【請求項１】
剥離剤層を備えた第一担持面と、剥離剤層を備えた第二担持面とが、台紙を横断するように形成した谷折り可能な第一折り線を介して連成されるとともに、第二担持面の所定位置に前記第一折り線と平行する山折り可能な第二折り線が形成され、該第二折り線と第一折り線間に位置する部分を折込み片部とし、さらに第一担持面には、裏面に粘着剤層を備えた透明な第一ラベル片が剥離可能に仮着される一方、第二担持面には、前記第一ラベル片と中心位置が幅方向で略一致し、かつ第二折り線を跨ぐようにして、裏面に粘着剤層を備えた第二ラベル片が剥離可能に仮着されてなるラベル帳票を用いるラミネートラベルの作成方法であって、
前記第一ラベル片の表面に所要情報を裏向きに印字した後、折込み片部から第二ラベル片の前端部分を剥離するとともに、台紙を第一折り線で谷折りにし、かつ第二折り線で山折りにしてＺ状に折り畳むことにより、折込み片部から剥離した第二ラベル片の前端部分を前方に延出させて該前端部分を第一ラベル片上に積層し、次いで第二ラベル片の残りの部分を第二担持面から剥離して第一ラベル片上に積層する第一のラミネート手順と、第二ラベル片の表面に所要情報を表向きに印字した後、第一担持面から第一ラベル片を剥離して第二ラベル片上に積層する第二のラミネート手順との何れかにより、内貼り用または外貼り用のラミネートラベルを選択的に作成することを特徴とするラベル帳票を用いたラミネートラベルの作成方法。
【請求項２】
台紙を縦断するように形成した易破断線により切り離し可能な第一台紙部と第二台紙部とを備え、第一台紙部には、剥離剤層を備えた第一担持面と、剥離剤層を備えた第二担持面とが、第一台紙部を横断するように形成した谷折り可能な第一折り線を介して連成されるとともに、第二担持面の所定位置に前記第一折り線と平行する山折り可能な第二折り線が形成され、該第二折り線と第一折り線間に位置する部分を折込み片部とし、さらに第一担持面には、裏面に粘着剤層を備えた透明な第一ラベル片が剥離可能に仮着され、第二担持面には、前記第一ラベル片と中心位置が幅方向で略一致し、かつ第二折り線を跨ぐようにして、裏面に粘着剤層を備えた第二ラベル片が剥離可能に仮着される一方、第二台紙部の表面には、透明な第一ラベル片上に第二ラベル片を積層する内貼り用ラミネート手順情報が事前印刷され、かつ該第二台紙部の裏面には、第二ラベル片上に透明な第一ラベル片を積層する外貼り用ラミネート手順情報が事前印刷されていることを特徴とするラベル帳票。
【請求項３】
第二ラベル片が、不透明なラベル基材を用いて形成されていることを特徴とする請求項２記載のラベル帳票。
【請求項４】
第一ラベル片が仮着された第一担持面及び第二ラベル片が仮着された第二担持面と同一面側となる第二台紙部の表面の事前印刷面上に、印字用透明シートが接合されていることを特徴とする請求項２又は請求項３記載のラベル帳票。
【請求項５】
透明な第一ラベル片及び印字用透明シートが平滑度の高い合成樹脂フィルムからなり、第二ラベル片が平滑度の高い合成紙，コート紙、または平滑度の低い用紙に平滑度の高い合成樹脂フィルムを積層したラベル基材からなることを特徴とする請求項２乃至請求項４の何れかに記載のラベル帳票。
【請求項６】
透明な第一ラベル片に、紫外線吸収加工が施されていることを特徴とする請求項２乃至請求項５の何れかに記載のラベル帳票。
【請求項７】
請求項２乃至請求項６の何れかに記載のラベル帳票を用いるラミネートラベルの作成方法であって、透明な第一ラベル片の表面に所要情報を裏向きに印字した後、第二台紙部の表面に事前印刷された内貼り用ラミネート手順情報に従って、易破断線で第二台紙部を切り離し、折込み片部から第二ラベル片の前端部分を剥離するとともに、第一台紙部を第一折り線で谷折りにし、かつ第二折り線で山折りにしてＺ状に折り畳むことにより、折込み片部から剥離した第二ラベル片の前端部分を前方に延出させて該前端部分を第一ラベル片上に積層し、次いで第二ラベル片の残りの部分を第二担持面から剥離して第一ラベル片上に積層する第一のラミネート手順と、第二ラベル片の表面に所要情報を表向きに印字し、かつ第二台紙部の表面の事前印刷面上に無効処理印字を施した後、第二台紙部の裏面に事前印刷された外貼り用ラミネート手順情報に従って、第一担持面から第一ラベル片を剥離して第二ラベル片上に積層する第二のラミネート手順との何れかにより、内貼り用または外貼り用のラミネートラベルを選択的に作成することを特徴とするラベル帳票を用いたラミネートラベルの作成方法。
【発明の詳細な説明】
【０００１】
【発明の属する技術分野】
本発明は、ラベル帳票を用いたラミネートラベルの作成方法、及びラミネートラベルを容易に作成し得るラベル帳票に関する。
【０００２】
【従来の技術】
透明ラベル片の表面に所要情報を裏向きに表示し、その情報表示面に不透明ラベル片を積層してなり、透明ラベル片の裏面に形成した粘着剤層を介して透明なウインドウガラス等の内側に貼着することにより、該ウインドウガラス等の外側から所要情報を視認し得るようにしたラミネートラベルが知られている。ここで、透明ラベル片に積層される不透明ラベル片は、透明ラベル片の情報表示面を保護し、かつ、その表示情報の改ざんを防止するとともに、ウインドウガラス等の外側から所要情報を目視した状態において、裏面側への光の透過を遮断して、該所要情報の視認性を高める作用を生じるものであり、また、該不透明ラベル片の表面には、必要に応じて透明ラベル片に表示される情報と同一内容の情報や注意文等の異なる情報が表示される。
【０００３】
かかるラミネートラベルは、例えば、監督官庁が発行する各種許可証，検査標章や、大学或いは企業等が構内への乗り入れを許可した車両の使用者に対して発行する入校許可証，駐車許可証，入場許可証等として使用されている。
【０００４】
従来、このようなラミネートラベルの作成には、透明ラベル片及び必要に応じて不透明ラベル片に表示される所要情報を印刷するための専用のラベル印刷機と、該ラベル印刷機による印刷済みの両ラベル片の積層加工，及びその他の所要加工を行う専用のラミネート加工機とが使用されていた。しかしながら、このような専用機としてのラベル印刷機及びラミネート加工機は高価であるため、作成するラミネートラベルが少量である場合にはコスト面で導入が困難であり、また、ラベル印刷機及びラミネート加工機の設置には比較的広いスペースが必要であるため、その設置スペースがない場所では導入することができないという問題点があった。
【０００５】
また、貼着した状態でウインドウガラス等の外側から視認されることとなる所要情報は、不透明ラベル片が積層される透明ラベル片の表面側に事前印刷されるため、店名，許可番号，車両ナンバー，有効期限，発行日等の個別的な可変情報が発行時にその場で簡単に表示できないという問題点があった。
【０００６】
そこで、本願出願人は、高価な専用機を必要とせず、個別的な可変情報の表示が簡単で、ラミネートラベルを容易に作成し得るラベル帳票を先に提案している（特許文献１参照）。このラベル帳票１Ａは、図１，図２に示すように、剥離剤層を備えた第一担持面５と、剥離剤層を備えた第二担持面６とを、台紙２を横断するように形成した谷折り可能な第一折り線４を介して連成するとともに、第二担持面６の所定位置に前記第一折り線４と平行する山折り可能な第二折り線７を形成して、該第二折り線７と第一折り線４間に位置する部分を折込み片部８とし、第一担持面５に、裏面に粘着剤層９を備えた透明な第一ラベル片１０を剥離可能に仮着する一方、第二担持面６に、前記第一ラベル片１０と中心位置が幅方向で略一致し、かつ第二折り線７を跨ぐようにして、裏面に粘着剤層１２を備えた、前記第一ラベル片１０に積層される第二ラベル片１３を剥離可能に仮着したことを要旨とするものである。
【０００７】
かかるラベル帳票１Ａにあっては、透明な第一ラベル片１０の表面に、コンピュータで出力制御されるプリンタによって所要情報を裏向きに印字し、折込み片部８から第二ラベル片１３の前端部分を剥離するとともに、台紙２を第一折り線４で谷折りにし、第二折り線７で山折りにしてＺ状に折り畳むことにより、第二ラベル片１３の前端部分を透明な第一ラベル片１０上に積層し、次いで第二ラベル片１３の残りの部分を第二担持面６から剥離して透明な第一ラベル片１０上に積層することにより、内貼り用のラミネートラベルを手作業で簡単に作成することができる。
【０００８】
【特許文献１】
特開２００２−３２８６０９号公報
【発明が解決しようとする課題】
ところで、上述した監督官庁が発行する各種営業許可証，検査標章や、大学或いは企業等が発行する入校許可証，駐車許可証，入場許可証等として使用されるラミネートラベルにあっては、上述したように透明なウインドウガラス等の内側に貼着して、該ウインドウガラス等の外側から所要情報を視認し得るようにした内貼り用の他に、壁や車体の外表面に直接貼着する外貼り用が存在する。即ち、例えば駐車許可証の場合、自動車には、ウインドウガラスの内側に貼着するように構成された内貼り用のラミネートラベルが用いられ、オートバイには、車体の外表面に直接貼着するように構成された外貼り用のラミネートラベルが用いられている。従って、従来は、所要情報を事前印刷した内貼り用と外貼り用の二種類のラミネートラベルを揃えておく必要があり、夫々在庫管理しなければならないため、煩わしく手間が掛かるという問題点があった。
【０００９】
本発明は、内貼り用と外貼り用の二種類のラミネートラベルを揃える必要がなく、在庫管理の手間を大幅に低減し得る、ラベル帳票を用いた内貼り用または外貼り用のラミネートラベルの作成方法、及び内貼り用または外貼り用のラミネートラベルを容易に作成し得るラベル帳票を提供することを目的とするものである。
【００１０】
【課題を解決するための手段】
本発明は、剥離剤層を備えた第一担持面と、剥離剤層を備えた第二担持面とが、台紙を横断するように形成した谷折り可能な第一折り線を介して連成されるとともに、第二担持面の所定位置に前記第一折り線と平行する山折り可能な第二折り線が形成され、該第二折り線と第一折り線間に位置する部分を折込み片部とし、さらに第一担持面には、裏面に粘着剤層を備えた透明な第一ラベル片が剥離可能に仮着される一方、第二担持面には、前記第一ラベル片と中心位置が幅方向で略一致し、かつ第二折り線を跨ぐようにして、裏面に粘着剤層を備えた第二ラベル片が剥離可能に仮着されてなるラベル帳票を用いるラミネートラベルの作成方法であって、前記第一ラベル片の表面に所要情報を裏向きに印字した後、折込み片部から第二ラベル片の前端部分を剥離するとともに、台紙を第一折り線で谷折りにし、かつ第二折り線で山折りにしてＺ状に折り畳むことにより、折込み片部から剥離した第二ラベル片の前端部分を前方に延出させて該前端部分を第一ラベル片上に積層し、次いで第二ラベル片の残りの部分を第二担持面から剥離して第一ラベル片上に積層する第一のラミネート手順と、第二ラベル片の表面に所要情報を表向きに印字した後、第一担持面から第一ラベル片を剥離して第二ラベル片上に積層する第二のラミネート手順との何れかにより、内貼り用または外貼り用のラミネートラベルを選択的に作成することを特徴とするラベル帳票を用いたラミネートラベルの作成方法である（請求項１）。
【００１１】
ここで、第一ラベル片または第二ラベル片に対する所要情報の印字は、パソコン等のコンピュータで出力制御されるプリンタを用いることができ、台紙の折り込み操作、及び第一ラベル片または第二ラベル片の剥離・積層操作は手作業で簡単に行うことができる。
【００１２】
また、第一のラミネート手順で作成されたラミネートラベルは、第二ラベル片が積層された第一ラベル片を第一担持面から剥離すると、裏面の粘着剤層を介して透明なウインドウガラスの内側に貼着し得る内貼り用のラミネートラベルとして使用可能であり、第二のラミネート手順で作成されたラミネートラベルは、第一ラベル片が積層された第二ラベル片を第二担持面から剥離すると、裏面の粘着剤層を介して壁や車体の外表面に直接貼着し得る外貼り用のラミネートラベルとして使用可能である。
【００１３】
かかる構成にあって、上記のように第一のラミネート手順と第二のラミネート手順との何れかにより、一種類のラベル帳票で内貼り用または外貼り用のラミネートラベルを簡単に作成することができる。これにより、一種類のラベル帳票の在庫管理を行うだけでよいため、従来に比して、在庫管理の手間を大幅に低減させることができる。
【００１４】
また、本発明は、台紙を縦断するように形成した易破断線により切り離し可能な第一台紙部と第二台紙部とを備え、第一台紙部には、剥離剤層を備えた第一担持面と、剥離剤層を備えた第二担持面とが、第一台紙部を横断するように形成した谷折り可能な第一折り線を介して連成されるとともに、第二担持面の所定位置に前記第一折り線と平行する山折り可能な第二折り線が形成され、該第二折り線と第一折り線間に位置する部分を折込み片部とし、さらに第一担持面には、裏面に粘着剤層を備えた透明な第一ラベル片が剥離可能に仮着され、第二担持面には、前記第一ラベル片と中心位置が幅方向で略一致し、かつ第二折り線を跨ぐようにして、裏面に粘着剤層を備えた第二ラベル片が剥離可能に仮着される一方、第二台紙部の表面には、透明な第一ラベル片上に第二ラベル片を積層する内貼り用ラミネート手順情報が事前印刷され、かつ該第二台紙部の裏面には、第二ラベル片上に透明な第一ラベル片を積層する外貼り用ラミネート手順情報が事前印刷されていることを特徴とするラベル帳票である（請求項２）。
【００１５】
かかる構成にあっては、第一台紙部から切り離し可能な第二台紙部の表面に、内貼り用ラミネート手順情報が事前印刷されており、かつ該第二台紙部の裏面に、外貼り用ラミネート手順情報が事前印刷されていることにより、この二通りのラミネート手順情報の何れかに従えば、第一台紙部に仮着されている第一ラベル片と第二ラベル片とを用いて、内貼り用または外貼り用のラミネートラベルを選択的に作成することができる。
【００１６】
上記構成にあって、第二ラベル片を、不透明なラベル基材を用いて形成する構成（請求項３）が提案される。これにより、内貼り用または外貼り用のラミネートラベルの何れを作成した場合にあっても、裏面側への光の透過を遮断して印字された所要情報の視認性を向上させることができる。
【００１７】
また、第一ラベル片が仮着された第一担持面及び第二ラベル片が仮着された第二担持面と同一面側となる第二台紙部の表面の事前印刷面上に、印字用透明シートを接合する構成（請求項４）が提案される。このように、第二台紙部の表面の事前印刷面上に印字用透明シートを接合することにより、後述するように、外貼り用のラミネートラベルを作成する場合において、第二台紙部の表面に事前印刷されている内貼り用ラミネート手順情報を無効とするための無効処理印字を容易とするとともに、第一台紙部側と第二台紙部側との厚み差を無くし、複数枚を重ね合わせた場合の厚み差による傾斜発生を防止して、プリンタへの給紙を円滑に行わせることができる。
【００１８】
また、透明な第一ラベル片及び印字用透明シートが平滑度の高い合成樹脂フィルムからなり、第二ラベル片が平滑度の高い合成紙，コート紙、または平滑度の低い用紙に平滑度の高い合成樹脂フィルムを積層したラベル基材からなるものとする構成（請求項５）が提案される。ここで、合成樹脂フィルムの基材にはＰＥＴ樹脂が好適に用いられ得る。これにより、レジンタイプのインクリボンを使用する熱転写プリンタでの印字が可能となり、印字品質に優れたものとなる。また、ＰＥＴ樹脂を合成樹脂フィルムの基材とすることにより、廃棄焼却時にダイオキシン等の有害物質の発生を防止することができる。
【００１９】
さらに、透明な第一ラベル片に、紫外線吸収加工を施す構成（請求項６）が提案される。ここで、該紫外線吸収加工は、ラベル基材自体や裏面の粘着剤層に紫外線吸収剤を混入することにより施され得る。かかる構成にあっては、内貼り用として第一ラベル片に印字される所要情報、または外貼り用として第二ラベル片に印字される所要情報が、ラミネートラベルの作成貼着後において、第一ラベル片の裏面側に位置する状態となることにより、内貼りまたは外貼りの何れの貼着態様にあっても、紫外線による所要情報の変色・褪色を防止することができ、耐候性が向上する。
【００２０】
また、本発明は、請求項２乃至請求項６の何れかに記載のラベル帳票を用いるラミネートラベルの作成方法であって、透明な第一ラベル片の表面に所要情報を裏向きに印字した後、第二台紙部の表面に事前印刷された内貼り用ラミネート手順情報に従って、易破断線で第二台紙部を切り離し、折込み片部から第二ラベル片の前端部分を剥離するとともに、第一台紙部を第一折り線で谷折りにし、かつ第二折り線で山折りにしてＺ状に折り畳むことにより、折込み片部から剥離した第二ラベル片の前端部分を前方に延出させて該前端部分を第一ラベル片上に積層し、次いで第二ラベル片の残りの部分を第二担持面から剥離して第一ラベル片上に積層する第一のラミネート手順と、第二ラベル片の表面に所要情報を表向きに印字し、かつ第二台紙部の表面の事前印刷面上に無効処理印字を施した後、第二台紙部の裏面に事前印刷された外貼り用ラミネート手順情報に従って、第一担持面から第一ラベル片を剥離して第二ラベル片上に積層する第二のラミネート手順との何れかにより、内貼り用または外貼り用のラミネートラベルを選択的に作成することを特徴とするラベル帳票を用いたラミネートラベルの作成方法である（請求項７）。
【００２１】
かかる構成にあって、第二台紙部の表面に事前印刷されている内貼り用ラミネート手順情報に従って、第一ラベル片上に第二ラベル片を積層する第一のラミネート手順と、第二台紙部の裏面に事前印刷されている外貼り用ラミネート手順情報に従って、第二ラベル片上に第一ラベル片を積層する第二のラミネート手順との何れかにより、一種類のラベル帳票で内貼り用または外貼り用のラミネートラベルを簡単に作成することができる。これにより、一種類のラベル帳票の在庫管理を行うだけでよいため、従来に比して、在庫管理の手間を大幅に低減させることができる。また、外貼り用のラミネートラベルを作成する場合には、第二台紙部の表面に事前印刷されている内貼り用ラミネート手順情報に無効処理印字が施されることにより、外貼り用のラミネートラベルの作成方法を間違えることがない。さらに、所要情報を印字したラベル帳票の発行時に、ラミネート手順情報が提供されるので、発行の度に口頭若しくは別紙説明書等の伝達手段によってラミネート方法を説明する必要がなく、効率のよい運用が可能となる。
【００２２】
【発明の実施の形態】
以下に、本発明の第一実施例を、図１〜図９について説明する。この実施例は請求項１にかかるラミネートラベルの作成方法の一実施例を示すものである。
【００２３】
このラミネートラベルの作成方法に用いられるラベル帳票１Ａは、図１，図２に示すように、台紙２が矩形状に形成されており、該台紙２はその表面にシリコンを塗布してなる剥離剤層３を備えている。ここで、該剥離剤層３は、図２に示すように、台紙２の全面に形成してもよいし、或いは後述する透明な第一ラベル片１０及び第二ラベル片１３の仮着部分にのみ形成するようにしてもよい。また、台紙２の素材には、適宜の耐屈撓性を有する上質紙，合成紙等が用いられる。
【００２４】
台紙２には、長手方向を略二等分する位置に、該台紙２を横断するようにして谷折り可能な第一折り線４が形成されており、該第一折り線４を介して第一担持面５と、第二担持面６が連成されている。また、第二担持面６の所定位置には、前記第一折り線４と平行する山折り可能な第二折り線７が形成されており、該第二折り線７と前記第一折り線４間に位置する部分を折込み片部８としている。前記第一折り線４及び第二折り線７は、ミシン目や、加圧加工により形成した線状の凹溝、或いは紙厚を切断しないハーフカット線等からなり、後述するように両折り線４，７で台紙２をＺ状に折り畳む時に、その折り畳み作業を容易に行い得るようになっている。
【００２５】
前記第一担持面５の略中央位置には、裏面に粘着剤層９を備えた矩形状の透明な第一ラベル片１０が剥離可能に仮着されている。該第一ラベル片１０は平滑度の高い合成樹脂フィルムからなり、その基材にはＰＥＴ樹脂が好適に用いられ得る。このように、平滑度の高い合成樹脂フィルムとすることにより、後述するように、レジンタイプのインクリボンを使用する熱転写プリンタでの印字が可能となり、印字品質に優れたものとなる。また、この透明な第一ラベル片１０には紫外線吸収加工が施されている。該紫外線吸収加工は、第一ラベル片１０のラベル基材自体や裏面の粘着剤層９に紫外線吸収剤を混入することにより施され得る。尚、該第一ラベル片１０は、無色透明なもの以外に、材質を通して裏面側が透視可能であれば半透明であってもよい。また、該第一ラベル片１０に地紋を事前印刷しておいてもよい。該地紋は、第一ラベル片１０または後述する第二ラベル片１３に印字される所要情報１５（図３，図７参照）の視認性を阻害しない程度の色及び濃度とすることが好ましく、また、その印刷態様として網点印刷が望ましい。このように、透明な第一ラベル片１０に地紋を事前印刷しておくことにより、ラミネートラベルの偽造を困難とし、その美観を向上させることができる。
【００２６】
一方、前記第二担持面６には、裏面に粘着剤層１２を備えた矩形状の第二ラベル片１３が剥離可能に仮着されている。該第二ラベル片１３は、前記透明な第一ラベル片１０より縦横の寸法をともに小さくして形成されており、前記透明な第一ラベル片１０と中心位置が幅方向で一致する位置に、第二折り線７を跨ぐ状態で仮着されている。ここで、図１に示すように、第一折り線４から、第一担持面５に仮着された第一ラベル片１０の長さ方向中心位置までの距離をＬ１  とし、第一折り線４から第二折り線７までの距離をＬ２  とし、第二担持面６に仮着された第二ラベル片１３の長さをＬ３  とし、第一折り線４から、第二担持面６に仮着された第二ラベル片１３の前端までの距離をＬ４  とすると、
Ｌ１≒Ｌ２≒Ｌ３／２＋Ｌ４
の関係となるようにすることが望ましい。この関係を満たすことにより、後述する内貼り用のラミネートラベルＡを作成するに際して、台紙２をＺ状に折り畳むと、第二ラベル片１３を第一ラベル片１０の略中央に位置させる位置合わせを簡単に行うことができ、位置ずれや皺を生じることなく、第二ラベル片１３を第一ラベル片１０上に積層することが可能となる。
【００２７】
また、第二担持面６には、第二ラベル片１３を略中央に位置させて、その外周部に第一ラベル片１０の貼着位置を示す指標１１が事前印刷により表示されている。該指標１１は、少なくとも第一ラベル片１０の四隅を夫々示すＬ形指標を備えており、後述する外貼り用のラミネートラベルＢを作成するに際して、該Ｌ形指標で囲繞される領域に一致させて第一ラベル片１０を第二ラベル片１３に積層することにより、正確に位置合わせが行えるようになっている。
【００２８】
前記第二ラベル片１３は、平滑度の高い不透明なラベル基材によって形成されており、該ラベル基材としては、少なくともＪＩＳ  Ｐ８１１９測定での平滑度  ２０００秒以上の合成紙やコート紙、または平滑度が低い上質紙（平滑度  ３０秒）やコート紙（平滑度  ２００秒）からなる用紙上に平滑度の高いＰＥＴ樹脂等の合成樹脂フィルムを積層したものが好適に用いられ得る。このように、平滑度の高いラベル基材を用いることにより、後述するように、レジンタイプのインクリボンを使用する熱転写プリンタでの印字が可能となり、印字品質に優れたものとなる。また、該第二ラベル片１３の色は、後述する所要情報１５の視認性を高めるためになるべく白色系または淡色系とすることが好ましい。さらに、該第二ラベル片１３の表面と裏面とに、後述する所要情報１５の視認性を阻害しない色及び濃度で所要の文字や地紋を事前印刷しておいてもよい。これにより、ラミネートラベルの偽造を困難とし、その美観を向上させることができる。
【００２９】
次に、かかる構成からなるラベル帳票１Ａを用いたラミネートラベルの作成方法について説明する。ラベル帳票１Ａは、上述した形態で官公庁，大学或いは企業等に納品される。そして、該ラベル帳票１Ａによって内貼り用のラミネートラベルを作成する場合には、透明な第一ラベル片１０に、パソコン等のコンピュータで出力制御されるプリンタを用いて、図３に示すように、営業許可証，入校許可証，駐車許可証，入場許可証等としての所要情報１５を裏向きに印字する。また、必要に応じて第二ラベル片１３の表面にも、ラミネートラベルの使用上の注意事項等の情報１４を表向きで印字してもよい。ここで、所要情報１５及び情報１４の印字には、レジンタイプのインクリボンを使用する熱転写プリンタが用いられる。レジンタイプのインクリボンは、ワックスタイプに比して、耐擦過性，耐溶剤性，耐薬品性，耐候性，耐熱性に優れており、該インクリボンに使用されている樹脂に、第一ラベル片１０及び第二ラベル片１３のラベル基材のＳＰ値（溶解度パラメータ）に近いものを選定することにより、ラベル基材の平滑度と相俟って極めて綺麗な印字を施すことができる。
【００３０】
上記のように透明な第一ラベル片１０及び第二ラベル片１３にプリンタで印字を施した後、図４に示すように、折込み片部８から第二ラベル片１３の前端部分を剥離するとともに、台紙２を第一折り線４で谷折りにし、第二折り線７で山折りにしてＺ状に折り畳むことにより、折込み片部８から剥離した第二ラベル片１３の前端部分が前方に延出することとなる。そして、この状態で、第二ラベル片１３の前端部分を透明な第一ラベル片１０に裏面の粘着剤層１２の接着力を介して剥離不能に積層し、次いで第二ラベル片１３の残りの部分を第二担持面６から剥離して、粘着剤層１２の接着力を介して透明な第一ラベル片１０に剥離不能に積層する第一のラミネート手順により、図５に示すように内貼り用のラミネートラベルＡを作成する。
【００３１】
ここで、上述したＬ１≒Ｌ２≒Ｌ３／２＋Ｌ４の関係を満たすようにラベル帳票１Ａを構成しておくことにより、台紙２をＺ状に折り畳んだ状態において、第二ラベル片１３を第一ラベル片１０の略中央に位置させて積層することができる。また、第一ラベル片１０に対する所要情報１５の裏向きの印字を、第二ラベル片１３で被覆されることとなる領域Ｒ（図３参照）内に施すことにより、第二ラベル片１３によって所要情報１５の表示面が保護され、かつ、その表示情報の改ざんを防止することができる。
【００３２】
上記のように作成された内貼り用のラミネートラベルＡは、第一担持面５の剥離剤層３上に粘着剤層９を介して剥離可能に仮着された状態であるため、該第一担持面５から簡単に剥離することができる。そして、該ラミネートラベルＡを第一担持面５から剥離して粘着剤層９を介して透明なウインドウガラス等の内側に貼着することにより、図６に示すように、ウインドウガラス等の外側から所要情報１５を表向きで視認し得るものとなる。この時、不透明な第二ラベル片１３によって裏面側への光の透過が遮断されることにより、所要情報１５の視認性が高められる。また、このような貼着状態にあって、第一ラベル片１０に紫外線吸収加工が施されていることにより、その紫外線吸収作用によって、第一ラベル片１０の裏面側に位置する所要情報１５の変色・褪色を防止することができる。
【００３３】
一方、ラベル帳票１Ａによって外貼り用のラミネートラベルを作成する場合には、第二ラベル片１３に、パソコン等のコンピュータで出力制御されるプリンタを用いて、図７に示すように、営業許可証，入校許可証，駐車許可証，入場許可証等としての所要情報１５を表向きに印字する。ここで、該所要情報１５の印字には、上述したようにレジンタイプのインクリボンを使用する熱転写プリンタが用いられる。これにより、ラベル基材の平滑度と相俟って極めて綺麗に印字することができる。
【００３４】
そして、上記のように第二ラベル片１３に所要情報１５を表向きに印字した後、第一担持面５から透明な第一ラベル片１０を剥離して、図８に示すように、該第一ラベル片１０を、裏面の粘着剤層９の接着力を介して第二ラベル片１３に剥離不能に積層する。ここで、第二担持面６には、第一ラベル片１０の貼着位置を示す指標１１（図７参照）が表示されていることにより、第二ラベル片１３と第一ラベル片１０の中央位置を略一致させる位置合わせを容易に行うことができる。そして、このような第二のラミネート手順により、図９に示すように外貼り用のラミネートラベルＢを作成する。
【００３５】
上記のように作成された外貼り用のラミネートラベルＢは、第二担持面６の剥離剤層３上に第二ラベル片１３の粘着剤層９及び第一ラベル片１０の外周部分の粘着剤層１２を介して剥離可能に仮着された状態であるため、該第二担持面６から簡単に剥離することができる。そして、該ラミネートラベルＢを第二担持面６から剥離して前記粘着剤層９，１２を介して車体等の外表面に貼着することにより、透明な第一ラベル片１０を通して所要情報１５を視認し得るものとなる。また、このような貼着状態にあって、第一ラベル片１０に紫外線吸収加工が施されていることにより、その紫外線吸収作用によって、第一ラベル片１０の裏面側に位置する所要情報１５の変色・褪色を防止することができる。
【００３６】
かかる構成にあって、上記のように第一のラミネート手順と第二のラミネート手順との何れかにより、一種類のラベル帳票１Ａで内貼り用または外貼り用のラミネートラベルＡ，Ｂを簡単に作成することができる。これにより、一種類のラベル帳票１Ａの在庫管理を行うだけでよいため、従来に比して、在庫管理の手間を大幅に低減させることができる。
【００３７】
次に、本発明の第二実施例を、図１０〜図１２について説明する。この実施例は請求項２にかかるラベル帳票の一実施例を示すものである。
【００３８】
この第二実施例にあって、図１０に示すように、矩形状に形成されたラベル帳票１Ｂの台紙１６には、幅方向を略二等分する位置に、該台紙１６を縦断するようにしてミシン目からなる易破断線１７が形成されており、該易破断線１７によって台紙１６が第一台紙部１６ａと第二台紙部１６ｂとに切り離し可能に設けられている。ここで、第一台紙部１６ａは、上述した第一実施例における台紙２に相当するものであり、その構成は台紙２と同一となっている。即ち、該第一台紙部１６ａには、剥離剤層３（図２参照）を備えた第一担持面５と、剥離剤層３（図２参照）を備えた第二担持面６とが、第一台紙部１６ａを横断するように形成した谷折り可能な第一折り線４を介して連成されるとともに、第二担持面６の所定位置に前記第一折り線４と平行する山折り可能な第二折り線７が形成され、該第二折り線７と第一折り線４間に位置する部分を折込み片部８とし、さらに第一担持面５には、裏面に粘着剤層９を備えた透明な第一ラベル片１０が剥離可能に仮着され、第二担持面６には、第一ラベル片１０と中心位置が幅方向で略一致し、かつ前記第二折り線７を跨ぐようにして、裏面に粘着剤層１２を備えた第二ラベル片１３が剥離可能に仮着されている。また、第一ラベル片１０と第二ラベル片１３のラベル基材及び第一折り線４と第二折り線７との位置関係その他の構成も第一実施例と同じであり、同一部分に同一符号を付して重複する説明を省略する。
【００３９】
一方、第二台紙部１６ｂの表面には、透明な第一ラベル片１０上に第二ラベル片１３を積層する手順を示した内貼り用ラミネート手順情報１８が事前印刷されており、さらに該事前印刷面上を覆うようにして印字用透明シート１９が接着層２２（図１１参照）を介して剥離不能に接合されている。この印字用透明シート１９は、平滑度の高い合成樹脂フィルムからなり、その基材にはＰＥＴ樹脂が好適に用いられ得る。このように、印字用透明シート１９を平滑度の高い合成樹脂フィルムとすることにより、後述するように、レジンタイプのインクリボンを使用する熱転写プリンタでの印字が可能となり、印字品質に優れたものとなる。また、該印字用透明シート１９の厚みは、前記第一台紙部１６ａに仮着されている第一ラベル片１０及び第二ラベル片１３の厚みと略等しく、これによって第一台紙部１６ａ側と第二台紙部１６ｂ側とで厚み差が生じないようにしている。また、第二台紙部１６ｂの裏面には、図１２に示すように、第二ラベル片１３上に透明な第一ラベル片１０を積層する手順を示した外貼り用ラミネート手順情報２０が事前印刷されている。
【００４０】
上述のラベル帳票１Ｂを用いた請求項７にかかるラミネートラベルの作成方法について説明する。ラベル帳票１Ｂは、上述した形態で官公庁，大学或いは企業等に納品される。ここで、ラベル帳票１Ｂは複数枚を重ね合わせた状態で所定枚数単位で梱包されて搬送されるが、第一台紙部１６ａ側と第二台紙部１６ｂ側とで厚み差が無いことにより、梱包体に傾斜が発生せず、搬送時の取扱い性に優れたものとなっている。そして、該ラベル帳票１Ｂによって内貼り用のラミネートラベルを作成する場合には、透明な第一ラベル片１０に、パソコン等のコンピュータで出力制御されるプリンタを用いて、図１３に示すように、営業許可証，入校許可証，駐車許可証，入場許可証等としての所要情報１５を裏向きに印字する。また、必要に応じて第二ラベル片１３の表面にも、ラミネートラベルの使用上の注意事項等の情報１４を表向きで印字してもよい。この印字に際しても、第一台紙部１６ａ側と第二台紙部１６ｂ側とで厚み差が無いことにより、複数枚を重ね合わせた場合の厚み差による傾斜発生が防止され、プリンタへの給紙を円滑に行わせることができる。また、所要情報１５及び情報１４の印字には、第一実施例と同様に、レジンタイプのインクリボンを使用する熱転写プリンタが用いられる。これにより、上述したようにラベル基材の平滑度と相俟って極めて綺麗な印字を施すことができる。
【００４１】
上記のように透明な第一ラベル片１０及び第二ラベル片１３にプリンタで印字を施した後、第二台紙部１６ｂの表面に事前印刷されている内貼り用ラミネート手順情報１８に従って、易破断線１７で第二台紙部１６ｂを切り離す。そして、図４に示すように、第一台紙部１６ａの折込み片部８から第二ラベル片１３の前端部分を剥離するとともに、該第一台紙部１６ａを第一折り線４で谷折りにし、第二折り線７で山折りにしてＺ状に折り畳むことにより、折込み片部８から剥離した第二ラベル片１３の前端部分を透明な第一ラベル片１０に裏面の粘着剤層１２の接着力を介して積層し、次いで第二ラベル片１３の残りの部分を第二担持面６から剥離して、粘着剤層１２の接着力を介して透明な第一ラベル片１０に積層する第一のラミネート手順により、図５に示すように内貼り用のラミネートラベルＡを作成する。
【００４２】
上記のように作成された内貼り用のラミネートラベルＡは、第一担持面５の剥離剤層３上に粘着剤層９を介して剥離可能に仮着された状態であるため、該第一担持面５から簡単に剥離することができ、粘着剤層９を介して透明なウインドウガラス等の内側に貼着することにより、図６に示すように、ウインドウガラス等の外側から所要情報１５を表向きで視認し得るものとなる。また、このような貼着状態にあって、第一ラベル片１０に紫外線吸収加工が施されていることにより、その紫外線吸収作用によって、第一ラベル片１０の裏面側に位置する所要情報１５の変色・褪色を防止することができる。
【００４３】
一方、ラベル帳票１Ｂによって外貼り用のラミネートラベルを作成する場合には、第二ラベル片１３に、パソコン等のコンピュータで出力制御されるプリンタを用いて、図１４に示すように、営業許可証，入校許可証，駐車許可証，入場許可証等としての所要情報１５を表向きに印字する。また、これと同時に、第二台紙部１６ｂの表面の事前印刷面上に接合されている印字用透明シート１９に、内貼り用ラミネート手順情報１８を無効とし、かつ裏面の外貼り用ラミネート手順情報２０を参照する旨の無効処理印字２１を施す。ここで、該無効処理印字２１は、裏面を参照する旨の説明文や内貼り用ラミネート手順情報１８を無効とする帯状の取り消しライン或いは×印等の記号等で構成され得る。また、所要情報１５の印字及び無効処理印字２１には、上述したようにレジンタイプのインクリボンを使用する熱転写プリンタが用いられる。これにより、第二ラベル片１３及び印字用透明シート１９の平滑度と相俟って極めて綺麗に印字を施すことができる。
【００４４】
そして、上記のように第二ラベル片１３に所要情報１５を表向きに印字した後、第二台紙部１６ｂの裏面に事前印刷されている外貼り用ラミネート手順情報２０に従って、第一担持面５から透明な第一ラベル片１０を剥離して、図８に示すように、該第一ラベル片１０を、裏面の粘着剤層９の接着力を介して第二ラベル片１３に剥離不能に積層する。尚、必要に応じて易破断線１７で第二台紙部１６ｂを切り離すことにより、裏面の外貼り用ラミネート手順情報２０の参照が容易となる。また、第二担持面６には、第一ラベル片１０の貼着位置を示す指標１１（図１４参照）が表示されていることにより、第二ラベル片１３と第一ラベル片１０の中央位置を略一致させる位置合わせを容易に行うことができる。そして、このような第二のラミネート手順により、図９に示すように外貼り用のラミネートラベルＢを作成する。
【００４５】
上記のように作成された外貼り用のラミネートラベルＢは、第二担持面６の剥離剤層３上に第二ラベル片１３の粘着剤層９及び第一ラベル片１０の外周部分の粘着剤層１２を介して剥離可能に仮着された状態であるため、該第二担持面６から簡単に剥離することができ、前記粘着剤層９，１２を介して車体等の外表面に貼着することにより、透明な第一ラベル片１０を通して所要情報１５を視認し得るものとなる。また、このような貼着状態にあって、第一ラベル片１０に紫外線吸収加工が施されていることにより、その紫外線吸収作用によって、第一ラベル片１０の裏面側に位置する所要情報１５の変色・褪色を防止することができる。
【００４６】
このように、ラベル帳票１Ｂを用いたラミネートラベルの作成方法にあっては、第二台紙部１６ｂの表面に事前印刷されている内貼り用ラミネート手順情報１８に従う第一のラミネート手順と、第二台紙部１６ｂの裏面に事前印刷されている外貼り用ラミネート手順情報２０に従う第二のラミネート手順との何れかにより、一種類のラベル帳票１Ｂで内貼り用のラミネートラベルＡまたは外貼り用のラミネートラベルＢを簡単に作成することができる。これにより、一種類のラベル帳票１Ｂの在庫管理を行うだけでよいため、従来に比して、在庫管理の手間を大幅に低減させることができる。また、外貼り用のラミネートラベルＢを作成する場合には、第二台紙部１６ｂの表面に事前印刷されている内貼り用ラミネート手順情報１８に無効処理印字２１が施されることにより、外貼り用のラミネートラベルＢの作成方法を間違えることがない。さらに、所要情報１５を印字したラベル帳票１Ｂの発行時に、ラミネート手順情報が提供されるので、発行の度に口頭若しくは別紙説明書等の伝達手段によってラミネート方法を説明する必要がなく、効率のよい運用が可能となる。
【００４７】
尚、上記各実施例では、第一ラベル片１０及び第二ラベル片１３を矩形状としたが、該第一ラベル片１０及び第二ラベル片１３は、円形，楕円形，多角形その他の任意の形状とすることができる。
【００４８】
【発明の効果】
上述したように、本発明は、剥離剤層を備えた第一担持面と、剥離剤層を備えた第二担持面とが、台紙を横断するように形成した谷折り可能な第一折り線を介して連成されるとともに、第二担持面の所定位置に前記第一折り線と平行する山折り可能な第二折り線が形成され、該第二折り線と第一折り線間に位置する部分を折込み片部とし、さらに第一担持面には、裏面に粘着剤層を備えた透明な第一ラベル片が剥離可能に仮着される一方、第二担持面には、前記第一ラベル片と中心位置が幅方向で略一致し、かつ第二折り線を跨ぐようにして、裏面に粘着剤層を備えた第二ラベル片が剥離可能に仮着されてなるラベル帳票を用いるラミネートラベルの作成方法であって、前記第一ラベル片の表面に所要情報を裏向きに印字した後、折込み片部から第二ラベル片の前端部分を剥離するとともに、台紙を第一折り線で谷折りにし、かつ第二折り線で山折りにしてＺ状に折り畳むことにより、折込み片部から剥離した第二ラベル片の前端部分を前方に延出させて該前端部分を第一ラベル片上に積層し、次いで第二ラベル片の残りの部分を第二担持面から剥離して第一ラベル片上に積層する第一のラミネート手順と、第二ラベル片の表面に所要情報を表向きに印字した後、第一担持面から第一ラベル片を剥離して第二ラベル片上に積層する第二のラミネート手順との何れかにより、内貼り用または外貼り用のラミネートラベルを選択的に作成することを特徴とするラベル帳票を用いたラミネートラベルの作成方法（請求項１）であるから、第一のラミネート手順と第二のラミネート手順との何れかにより、一種類のラベル帳票で内貼り用または外貼り用のラミネートラベルを簡単に作成することができる。これにより、一種類のラベル帳票の在庫管理を行うだけでよいため、従来に比して、在庫管理の手間を大幅に低減させることができる。
【００４９】
また、本発明は、台紙を縦断するように形成した易破断線により切り離し可能な第一台紙部と第二台紙部とを備え、第一台紙部には、剥離剤層を備えた第一担持面と、剥離剤層を備えた第二担持面とが、第一台紙部を横断するように形成した谷折り可能な第一折り線を介して連成されるとともに、第二担持面の所定位置に前記第一折り線と平行する山折り可能な第二折り線が形成され、該第二折り線と第一折り線間に位置する部分を折込み片部とし、さらに第一担持面には、裏面に粘着剤層を備えた透明な第一ラベル片が剥離可能に仮着され、第二担持面には、前記第一ラベル片と中心位置が幅方向で略一致し、かつ第二折り線を跨ぐようにして、裏面に粘着剤層を備えた第二ラベル片が剥離可能に仮着される一方、第二台紙部の表面には、透明な第一ラベル片上に第二ラベル片を積層する内貼り用ラミネート手順情報が事前印刷され、かつ該第二台紙部の裏面には、第二ラベル片上に透明な第一ラベル片を積層する外貼り用ラミネート手順情報が事前印刷されたラベル帳票（請求項２）であるから、第二台紙部の表面に事前印刷されている内貼り用ラミネート手順情報と、第二台紙部の裏面に事前印刷されている外貼り用ラミネート手順情報の何れかに従えば、第一台紙部に仮着されている第一ラベル片と第二ラベル片とを用いて、内貼り用または外貼り用のラミネートラベルを選択的に作成することができる。
【００５０】
上記構成にあって、第二ラベル片を、不透明なラベル基材を用いて形成する構成（請求項３）とすることにより、内貼り用または外貼り用のラミネートラベルの何れを作成した場合にあっても、印字された所要情報の視認性を向上させることができる。
【００５１】
また、第一ラベル片が仮着された第一担持面及び第二ラベル片が仮着された第二担持面と同一面側となる第二台紙部の表面の事前印刷面上に、印字用透明シートを接合する構成（請求項４）とすることにより、外貼り用のラミネートラベルを作成する場合において、第二台紙部の表面に事前印刷されている内貼り用ラミネート手順情報を無効とするための無効処理印字を容易となるとともに、第一台紙部側と第二台紙部側との厚み差が無くなり、複数枚を重ね合わせた場合の厚み差による傾斜発生を防止して、プリンタへの給紙を円滑に行わせることができる。
【００５２】
また、透明な第一ラベル片及び印字用透明シートが平滑度の高い合成樹脂フィルムからなり、第二ラベル片が平滑度の高い合成紙，コート紙、または平滑度の低い用紙に平滑度の高い合成樹脂フィルムを積層したラベル基材からなるものとする構成（請求項５）とすれば、レジンタイプのインクリボンを使用する熱転写プリンタでの印字が可能となり、印字品質に優れたものとなる。また、ＰＥＴ樹脂を合成樹脂フィルムの基材とすることにより、廃棄焼却時におけるダイオキシン等の有害物質の発生を防止することができる。
【００５３】
さらに、透明な第一ラベル片に、紫外線吸収加工を施す構成（請求項６）とすれば、内貼り用として第一ラベル片に印字される所要情報、または外貼り用として第二ラベル片に印字される所要情報が、ラミネートラベルの作成貼着後において、第一ラベル片の裏面側に位置する状態となることにより、内貼りまたは外貼りの何れの貼着態様にあっても、紫外線による所要情報の変色・褪色を防止することができ、耐候性が向上する。
【００５４】
また、本発明は、請求項２乃至請求項６の何れかに記載のラベル帳票を用いるラミネートラベルの作成方法であって、透明な第一ラベル片の表面に所要情報を裏向きに印字した後、第二台紙部の表面に事前印刷された内貼り用ラミネート手順情報に従って、易破断線で第二台紙部を切り離し、折込み片部から第二ラベル片の前端部分を剥離するとともに、第一台紙部を第一折り線で谷折りにし、かつ第二折り線で山折りにしてＺ状に折り畳むことにより、折込み片部から剥離した第二ラベル片の前端部分を前方に延出させて該前端部分を第一ラベル片上に積層し、次いで第二ラベル片の残りの部分を第二担持面から剥離して第一ラベル片上に積層する第一のラミネート手順と、第二ラベル片の表面に所要情報を表向きに印字し、かつ第二台紙部の表面の事前印刷面上に無効処理印字を施した後、第二台紙部の裏面に事前印刷された外貼り用ラミネート手順情報に従って、第一担持面から第一ラベル片を剥離して第二ラベル片上に積層する第二のラミネート手順との何れかにより、内貼り用または外貼り用のラミネートラベルを選択的に作成することを特徴とするラベル帳票を用いたラミネートラベルの作成方法（請求項７）であるから、第二台紙部の表面に事前印刷されている内貼り用ラミネート手順情報に従って、第一ラベル片上に第二ラベル片を積層する第一のラミネート手順と、第二台紙部の裏面に事前印刷されている外貼り用ラミネート手順情報に従って、第二ラベル片上に第一ラベル片を積層する第二のラミネート手順との何れかにより、一種類のラベル帳票で内貼り用または外貼り用のラミネートラベルを簡単に作成することができる。これにより、一種類のラベル帳票の在庫管理を行うだけでよいため、従来に比して、在庫管理の手間を大幅に低減させることができる。また、外貼り用のラミネートラベルを作成する場合には、第二台紙部の表面に事前印刷されている内貼り用ラミネート手順情報に無効処理印字が施されることにより、外貼り用のラミネートラベルの作成方法を間違えることがない。さらに、所要情報を印字したラベル帳票の発行時に、該ラベル帳票によってラミネート手順情報が提供されるので、発行の度に口頭若しくは別紙説明書等の伝達手段によってラミネート方法を説明する必要がなく、運用効率が向上する。
【図面の簡単な説明】
【図１】本発明にかかるラベル帳票１Ａの平面図である。
【図２】ラベル帳票１Ａ（１Ｂ）の縦断側面図である。
【図３】第一ラベル片１０及び第二ラベル片１３に印字を施した状態を示すラベル帳票１Ａの平面図である。
【図４】内貼り用の積層操作状態を示すラベル帳票１Ａ（１Ｂ）の概略側面図である。
【図５】完成した内貼り用のラミネートラベルＡの縦断側面図である。
【図６】ウインドウガラス等の内側に貼着されたラミネートラベルＡを外側から目視した状態を示す参考図である。
【図７】第二ラベル片１３に印字を施した状態を示すラベル帳票１Ａの平面図である。
【図８】外貼り用の積層操作状態を示すラベル帳票１Ａ（１Ｂ）の縦断側面図である。
【図９】完成した外貼り用のラミネートラベルＢの概略側断面図である。
【図１０】本発明にかかるラベル帳票１Ｂの平面図である。
【図１１】第二台紙部１６ｂの縦断側面図である。
【図１２】第二台紙部１６ｂの裏面に事前印刷された外貼り用ラミネート手順情報２０を示すラベル帳票１Ｂの底面図である。
【図１３】第一ラベル片１０及び第二ラベル片１３に印字を施した状態を示すラベル帳票１Ｂの平面図である。
【図１４】第二ラベル片１３及び印字用透明シート１９に印字を施した状態を示すラベル帳票１Ｂの平面図である。
【符号の説明】
１Ａ，１Ｂ  ラベル帳票
２  台紙
３  剥離剤層
４  第一折り線４
５  第一担持面５
６  第二担持面６
７  第二折り線７
８  折込み片部８
９  粘着剤層
１０  第一ラベル片
１１  指標
１２  粘着剤層
１３  第二ラベル片
１５  所要情報
１６  台紙
１６ａ  第一台紙部
１６ｂ  第二台紙部
１７  易破断線
１８  内貼り用ラミネート手順情報
１９  印字用透明シート
２０  外貼り用ラミネート手順情報
２１  無効処理印字
Ａ  内貼り用ラミネートラベル
Ｂ  外貼り用ラミネートラベル
【図１】
2005010529.tif 000003
【図２】
2005010529.tif 000004
【図３】
2005010529.tif 000005
【図４】
2005010529.tif 000006
【図５】
2005010529.tif 000007
【図６】
2005010529.tif 000008
【図７】
2005010529.tif 000009
【図８】
2005010529.tif 000010
【図９】
2005010529.tif 000011
【図１０】
2005010529.tif 000012
【図１１】
2005010529.tif 000013
【図１２】
2005010529.tif 000014
【図１３】
2005010529.tif 000015
【図１４】
2005010529.tif 000016